(57)【特許請求の範囲】
【請求項１】
被写界を撮影し得られた画像データに付帯情報を付けて１つの画像ファイルとして記録媒体に記録する電子カメラであって、
前記付帯情報には少なくとも1つの画像処理項目の画像処理を実行させるのに必要な複数の画像処理パラメータが含まれており、
前記画像処理項目の画像処理を実行する画像処理手段と、
前記画像処理手段による画像処理実行前の画像データを記録する第１の記録モードと前記画像処理手段による画像処理実行後の画像データを記録する第２の記録モードの何れかを設定する記録モード設定手段と、
を更に備え、
前記記録モード設定手段により前記第１の記録モードが設定されたときには、前記付帯情報には、前記画像処理項目毎の画像処理を実行させるのに必要な複数の画像処理パラメータからなるパラメータ群が、前記画像処理項目のそれぞれに対応して1組ずつ含まれる、
ことを特徴とする電子カメラ。
【請求項２】
前記記録モード設定手段により前記第２の記録モードが設定されたときには、前記付帯情報には、撮影時に前記画像処理項目毎に設定された画像処理パラメータが含まれており、
前記画像処理手段は、前記設定された画像処理パラメータを使用して画像処理を実行する、
ことを特徴とする請求項１記載の電子カメラ。
【請求項３】
撮影された被写界に応じて、１つの画像処理項目の画像処理を実行させるのに必要な複数のパラメータの中から１つのパラメータを設定する第１の設定手段、
を更に備えたことを特徴とする請求項１又は２記載の電子カメラ。
【請求項４】
前記付帯情報には、前記第１の設定手段により設定されたパラメータが更に含まれる、
ことを特徴とする請求項３記載の電子カメラ。
【請求項５】
ユーザからの指示に応じて、１つの画像処理項目の画像処理を実行させるのに必要な複数のパラメータの中から１つのパラメータを設定する第２の設定手段、
を更に備えたことを特徴とする請求項１又は２記載の電子カメラ。
【請求項６】
前記付帯情報には、前記第２の設定手段により設定されたパラメータが更に含まれる、
ことを特徴とする請求項５記載の電子カメラ。
【請求項７】
前記画像処理項目には、少なくとも階調、ホワイトバランス、シャープネス、彩度のうちの何れか１つが含まれる、
ことを特徴とする請求項１、２、３、４、５、又は６記載の電子カメラ。
【請求項８】
前記付帯情報には、プリントのための画像処理を実行させるのに必要な複数のパラメータが更に含まれる、
ことを特徴とする請求項１、２、３、４、５、６、又は７記載の電子カメラ。
【請求項９】
前記プリントのための画像処理を実行させるのに必要な複数のパラメータには、設定された撮影モード及び撮影条件に基づいて得られた１つ又は複数のプリント補正情報、標準のプリント補正情報、及び補正無しのプリント補正情報が含まれる、
ことを特徴とする請求項８記載の電子カメラ。
【発明の詳細な説明】
【０００１】
本発明は、撮影により得られた画像データと付帯情報を１つの画像ファイルとして記録する電子カメラに関する。
【０００２】
【従来の技術】
一般的に電子カメラの撮影処理では、より良好な画像（撮影画像）が得られるように、撮像された画像がＡ／Ｄ変換された後に、ホワイトバランス処理や色変換（彩度）処理等の各種の画像処理が行われる。
【０００３】
例えば、ホワイトバランス処理では、太陽光・蛍光灯・電球等の光源毎に最適化されている画像処理パラメータの中から、撮像された被写界の光源（照明光）に基づいて所定の画像処理パラメータが選択・設定され、その画像処理パラメータを使用して処理が行われる。又は、撮影時にユーザの好みにより、上記画像処理パラメータの中から所定の画像処理パラメータが指定（指示）された場合には、その指定された画像処理パラメータを使用して処理が行われる。
【０００４】
その他の画像処理についても同様に、複数の画像処理パラメータの中から、撮像された被写界に応じて選択・設定された画像処理パラメータや、撮影時のユーザの指示に応じて設定された画像処理パラメータを使用して処理が行われ、最終的に記録媒体に記録される画像が作成される。
【０００５】
実際には、この画像に圧縮処理が施され、付帯情報（撮影日付、撮影条件等の情報）と共に１つの画像ファイルとして記録媒体（メモリカード等）に記録され、撮影処理が終了する。
【０００６】
【発明が解決しようとする課題】
ところで、従来では、撮影処理が終了した後に、その撮影処理において異なる画像処理パラメータが設定されて撮影処理が行われた場合の画像を得る手段はなかった。従って、例えば、ホワイトバランス処理で蛍光灯の画像処理パラメータが設定されて撮影処理が行われた後に、ユーザが、その撮影処理において、電球の画像処理パラメータが設定されてホワイトバランス処理が行われた場合にはどのような画像が得られたであろうかと要望した場合には、その要望に答えることが出来なかった。
【０００７】
一方で、特開平１１−２８２４４６号公報には、撮影された画像から、想定される出力特性（モニターやプリンタ等の出力特性）に応じて階調処理・圧縮処理等の画像処理手法が異なった、複数枚の画像を作成し、記録することを特徴とした画像処理方法が提案されている。この提案によれば、撮影後に、画像処理手法が異なる複数枚の画像を得ることが可能になるが、その為には複数枚の画像を記録しなければならず、処理時間の長時間化や、その記録に必要な記録容量が膨大になるという欠点があった。そのため、とても電子カメラに適用できる提案ではなく、依然として上述のユーザの要望に答えることが出来ないままであった。
【０００８】
本発明の課題は、上記実情に鑑み、撮影処理後に、その撮影処理において異なる画像処理パラメータが設定されて画像処理が行われた場合の画像を得ることができる電子カメラを提供することである。
【０００９】
本発明の第１の態様は、被写界を撮影し得られた画像データに付帯情報を付けて１つの画像ファイルとして記録媒体に記録する電子カメラであって、前記付帯情報には少なくとも1つの画像処理項目の画像処理を実行させるのに必要な複数の画像処理パラメータが含まれており、前記画像処理項目の画像処理を実行する画像処理手段と、前記画像処理手段による画像処理実行前の画像データを記録する第１の記録モードと前記画像処理手段による画像処理実行後の画像データを記録する第２の記録モードの何れかを設定する記録モード設定手段と、を更に備え、前記記録モード設定手段により前記第１の記録モードが設定されたときには、前記付帯情報には、前記画像処理項目毎の画像処理を実行させるのに必要な複数の画像処理パラメータからなるパラメータ群が、前記画像処理項目のそれぞれに対応して1組ずつ含まれるように構成された電子カメラである。
【００１０】
上記の構成によれば、例えば画像ファイルに基づいて画像処理を行う画像処理装置等に、画像ファイルの付帯情報に含まれているパラメータ（画像処理パラメータ）に基づいて、撮影処理で行われる画像処理と同様の画像処理を実行させることができる。
また、この構成によれば、第１の記録モード（例えばＲＡＷモード）が設定されたときには、画像処理実行前の画像データ（例えばＲＡＷデータ）が付帯情報と共に１つの画像ファイルとして記録媒体に記録され、例えば画像ファイルに基づいて画像処理を行う画像処理装置等に、付帯情報に含まれているパラメータに基づいて、撮影処理で行われる画像処理と同様の画像処理を実行させることができる。従って、撮影処理後に、その撮影処理において異なるパラメータが設定されて画像処理が行われた場合の画像を得ることができる。
【００１１】
本発明の第２の態様は、上記第１の態様において、前記記録モード設定手段により前記第２の記録モードが設定されたときには、前記付帯情報には、撮影時に前記画像処理項目毎に設定された画像処理パラメータが含まれており、前記画像処理手段は、前記設定された画像処理パラメータを使用して画像処理を実行する構成である。
この構成によれば、電子カメラは、第２の記録モードが設定されたときには、撮影された被写界に応じて設定されたパラメータや、ユーザからの指示に応じて設定されたパラメータを使用して画像処理を行うことができる。
本発明の第３の態様は、上記第１又は２の態様において、撮影された被写界に応じて、１つの画像処理項目の画像処理を実行させるのに必要な複数のパラメータの中から１つのパラメータを設定する第１の設定手段を更に備えた構成である。
この構成によれば、撮影（撮像）された被写界に応じて、画像処理項目毎のパラメータを自動的に設定することができる。
【００１２】
本発明の第４の態様は、上記第３の態様において、前記付帯情報には、前記第１の設定手段により設定されたパラメータが更に含まれる構成である。
この構成によれば、付帯情報に、撮影された被写界に応じて設定されたパラメータ、すなわち撮影時に電子カメラが自動的に設定したパラメータを含ませることができる。
【００１３】
本発明の第５の態様は、上記第１又は２の態様において、ユーザからの指示に応じて、１つの画像処理項目の画像処理を実行させるのに必要な複数のパラメータの中から１つのパラメータを設定する第２の設定手段を更に備えた構成である。
この構成によれば、ユーザが、画像処理項目毎のパラメータを設定することができる。
【００１４】
本発明の第６の態様は、上記第５の態様において、前記付帯情報には、前記第２の設定手段により設定されたパラメータが更に含まれる構成である。
この構成によれば、付帯情報に、ユーザからの指示に応じて設定されたパラメータ、すなわち撮影時にユーザが設定したパラメータを含ませることができる。
【００１５】
本発明の第７の態様は、上記第１、２、３、４、５、又は６の態様において、前記画像処理項目には、少なくとも階調、ホワイトバランス、シャープネス、彩度のうちの何れか１つが含まれる構成である。
この構成によれば、画像処理項目には、例えば、階調、ホワイトバランス、シャープネス、彩度等が含まれる。
【００１９】
本発明の第８の態様は、上記第１、２、３、４、５、６、又は７の態様において、前記付帯情報には、プリントのための画像処理を実行させるのに必要な複数のパラメータが更に含まれる構成である。
【００２０】
この構成によれば、例えば、画像ファイルに基づいて印刷処理を行うプリンタ装置等に、画像ファイルの付帯情報に含まれている、プリントのための画像処理を実行させるのに必要な複数のパラメータに基づいて印刷処理を実行させることができる。
【００２１】
本発明の第９の態様は、上記第８の態様において、前記プリントのための画像処理を実行させるのに必要な複数のパラメータには、設定された撮影モード及び撮影条件に基づいて得られた１つ又は複数のプリント補正情報、標準のプリント補正情報、及び補正無しのプリント補正情報が含まれる構成である。
【００２２】
この構成によれば、例えば、画像ファイルに基づいて印刷処理を行うプリンタ装置等に、画像ファイルの付帯情報に含まれているプリント補正情報に基づいて印刷処理を実行させることができる。
【００３０】
【発明の実施の形態】
以下、本発明の実施の形態を図面を参照しながら説明する。
図１は、本発明の一実施の形態に係る電子カメラシステムに含まれる電子カメラのブロック図である。
【００３１】
同図において、ズームレンズ系１、撮像素子２、撮像回路３、及びＡ／Ｄ（アナログ／デジタル）変換回路４で撮像部が構成されている。撮像部では、ズームレンズ系１によって結像された被写体像（被写界）が撮像素子２によって光電変換され（撮像され）、その変換出力である画像信号が撮像回路３を介してＡ／Ｄ（アナログ−デジタル）変換回路４に入力されるとそこでＡ／Ｄ変換されてデジタルデータである画像データが得られる。ここで、ズームレンズ系１に備えられているレンズは、レンズ駆動制御回路５により制御されているレンズ駆動部６により駆動され、被写体像のフォーカスの調整が行われる。
【００３２】
シスコン（システムコントローラ）７は、ＣＰＵ（中央演算処理装置）を備えて構成され、電子カメラを構成する各部を制御すると共に、前述のＡ／Ｄ変換された画像データにホワイトバランス処理や色変換処理等の各種の画像処理を行う。また、撮影モード及び撮影条件に基づいてプリント補正情報を判断する処理等も行う。尚、このプリント補正情報は、プリントのための画像処理を実行させるのに必要なパラメータである。
【００３３】
ＡＳＩＣ（Application Specific Integrated Circuit ）部８は、ＪＰＥＧ（Joint Photographic Experts Group）方式による画像データの圧縮・伸張処理や、画像データのリサイズ処理等を行う。
ＲＯＭ９は、電子カメラを構成する各部の制御をシスコン７に備えられているＣＰＵに行わせるための制御プログラムや、電子カメラが行う画像処理項目毎の画像処理パラメータ（図２で後述）や、プリント補正情報判断テーブル（図３で後述）や、その他各種の処理のために必要な演算データ等が格納されているリード・オンリ・メモリである。
【００３４】
ＲＡＭ１０は、画像データを一時的に蓄えるバッファメモリとして使用される他、シスコン７による各種処理のための作業用の記憶領域としても使用されるランダム・アクセス・メモリである。
メモリＩ／Ｆ（インターフェース）１１は、カードスロット１２に挿入されたメモリカード１３との間でデータの授受を行うためのインターフェース機能を提供するものであり、データの読み書きの可能な半導体メモリを備えて構成されるメモリカード１３への画像ファイル（画像データ、付帯情報を含む）の書き込み、或いはメモリカード１３からの画像ファイルの読み出しの処理が行われる。
【００３５】
外部Ｉ／Ｆ（インターフェース）１４は、外部入出力端子１５に接続された外部装置、例えばパーソナルコンピュータ、画像処理装置、又はプリンタ装置等との間でデータの授受を行うためのインターフェース機能を提供するものであり、外部装置への画像ファイル等の出力、或いは外部装置からの画像ファイル等の入力処理が行われる。
【００３６】
ビデオメモリ１６はシスコン７での画像処理によって得られた表示用の画像データを一時的に保持しておくためのメモリであり、この画像データはその後ビデオメモリ１６から読み出されてビデオ出力回路１７に入力されてビデオ信号である画像信号に変換される。この画像信号が画像表示ＬＣＤ１８に入力されると画像が表示される。また、この画像信号はビデオアウト端子１９を介して他の装置へ送出することも可能である。
【００３７】
ストロボ発光部２０は、ストロボを使用する撮影の際にストロボを発光させるためのものである。
操作部２１は、ユーザから受け付けた各種指示をシスコン７へ伝えるための各種キーやボタンやスイッチ等であり、例えば、ユーザから、撮影モード指示、撮影条件指示、ＲＡＷモード指示、撮影開始指示（レリーズボタンによる）等を受け付ける。尚、ＲＡＷモードとは、撮影処理において各種の画像処理を行わずに画像データを記録するモードである。
【００３８】
電源部２２は、カメラ電池２３の電圧、若しくは外部電源端子２４に入力された電力の電圧を制御してこの電子カメラの各部に電力を供給する。
尚、上述した構成の電子カメラにおいて、通信回線と接続可能に構成し、この通信回線を介して画像ファイル等の授受を行うようにしても良い。
【００３９】
次に、前述のＲＯＭ９に格納されている、画像処理項目毎の画像処理パラメータ及びプリント補正情報判断テーブルについて説明する。
図２は、ＲＯＭ９に格納されている画像処理項目毎の画像処理パラメータを示した表である。尚、これらの画像処理項目は、撮影モードでもある。
【００４０】
同図に示したように、各画像処理項目は複数の設定を備え、設定毎に対応するデータ長とデータ数で構成された画像処理パラメータを備えている。例えば、画像処理項目／コントラストは低・標準・高の３つの設定を備えており、撮影処理で標準が設定されたときには、その標準に対応する画像処理パラメータとして、データ長８ｂｉｔで、そのデータ数が１０２４個で構成される階調テーブル２が選択され、この階調テーブル２が使用されてコントラスト（階調変換）処理が行われる。
【００４１】
図３(a),(b) は、ＲＯＭ９に格納されているプリント補正情報判断テーブルを示した図である。同図(a) は、補正モード選択テーブルを示し、同図(b) は、補正条件変更テーブルを示している。
同図(a) に示す補正モード選択テーブルは、設定された撮影モード及び撮影条件に基づいて補正モード（プリント補正情報）を指定するためのテーブルである。同図(a) の○印に示されるように、各撮影モード（動画モード、シーンモード、フィルター、ストロボモード）及び各撮影条件（シーン輝度、被写体距離、シャッタースピード、絞り、ストロボ、画角）では、その設定毎に１つの補正モード（標準、人物、風景、スポーツ、夕景、夜景、逆光、マクロ、セピア、モノクロ、補正無しの何れか１つ）が指示されている。また、各撮影モード及び各撮影条件には優先順位が付されている。
【００４２】
本実施形態では、この補正モード選択テーブルから、設定された撮影モード及び撮影条件の優先順位に基づいて、その優先順位の最上位に基づく１つの補正モードか、若しくはその優先順位の上位２つに基づく２つの補正モードが指定される。例えば、撮影処理において、シーンモード／スポーツ（優先順位：１）、フィルター／肌色（優先順位：２）、シャッタースピード／高速（優先順位：５）が設定されたときには、優先順位が最も高いシーンモード／スポーツに基づいて指示された補正モード／スポーツの１つの補正モードか、若しくはその補正モード／スポーツと、その次に優先順位が高いフィルター／肌色に基づいて指示された補正モード／人物の２つの補正モードが指定されることになる。
【００４３】
また、同図(b) に示す補正条件変更テーブルは、設定された撮影モードに基づいて補正を行わない項目（補正条件変更、プリント補正情報）を指定するためのテーブルである。同図(b) の×印に示されるように、各撮影モード（露出モード、測光モード、露出補正、コントラスト、彩度、ホワイトバランス、シャープネス、ＩＳＯ感度）では、その設定毎に１つの補正を行わない項目（明るさ、コントラスト、ホワイトバランス、彩度、シャープネスの何れか１つ）が指示されている。但し、×印が付されていないものについては、何れの項目も指示されないことになる。
【００４４】
本実施形態では、この補正条件変更テーブルから、設定された撮影モードに基づいて、補正を行わない項目が指定される。例えば、撮影処理において、露出補正／＋１段、コントラスト／高、ホワイトバランス／太陽光が設定されたときには、それらに基づいて指示された、明るさ、コントラスト、ホワイトバランスが補正を行わない項目（補正条件変更）として指定されることになる。
【００４５】
次に、本電子カメラシステムに含まれる印刷（プリント）機能付き画像処理装置（以下、単にプリンタ装置と言う）の構成について説明する。
図４は、このプリンタ装置のブロック図である。尚、同図に示すプリンタ装置は、例えばＹ（イエロー）、Ｍ（マゼンタ）、Ｃ（シアン）からなるインクリボンを使用し、面順次方式により用紙に印刷を行う昇華型熱転写方式のプリンタ装置である。
【００４６】
同図おいて、シスコン（システムコントローラ）３１は、ＣＰＵ（中央演算処理装置）を備えて構成され、プリンタ装置を構成する各部を制御すると共に、画像データにホワイトバランス処理や色変換処理等の各種の画像処理を行う。尚、この画像処理は、電子カメラの撮影処理で行われる画像処理と同様である。また、印刷時に画像データに基づく画像の明暗・彩度・色合い等を補正する各種の画質補正処理を行う（自動画質補正処理）。
【００４７】
ＡＳＩＣ（Application Specific Integrated Circuit ）部３２は、ＪＰＥＧ（Joint Photographic Experts Group）方式による画像データの圧縮・伸張処理や、画像データのリサイズ処理等を行う。
メモリＩ／Ｆ（インターフェース）３３は、カードスロット３４に挿入されたメモリカード３５との間でデータの授受を行うためのインターフェース機能を提供するものであり、データの読み書きの可能な半導体メモリを備えて構成されるメモリカード３５への画像ファイルの書き込み、或いはメモリカード３５からの画像ファイルの読み出しの処理が行われる。
【００４８】
ＲＡＭ３６は、画像データを一時的に蓄えるバッファメモリとして使用される他、シスコン３１による各種処理のための作業用の記憶領域としても使用されるランダム・アクセス・メモリである。
ＲＯＭ３７は、プリンタ装置を構成する各部の制御をシスコン３１に備えられているＣＰＵに行わせるための制御プログラムや、各種の処理のために必要な演算データ等が格納されているリード・オンリ・メモリである。
【００４９】
外部Ｉ／Ｆ（インターフェース）３８は、ＰＣ接続端子３９に接続されたパーソナルコンピュータとの間でデータの授受を行うためのインターフェース機能を提供するものであり、パーソナルコンピュータへの画像ファイル等の出力、或いはパーソナルコンピュータからの画像ファイル等の入力処理が行われる。
【００５０】
ビデオメモリ５０はシスコン３１での画像処理によって得られた表示用の画像データを一時的に保持しておくためのメモリであり、この画像データはその後ビデオメモリ５０から読み出されてビデオ出力回路５１に入力されてビデオ信号である画像信号に変換される。この画像信号が画像表示ＬＣＤ５２に入力されると画像が表示される。また、この画像信号はビデオアウト端子５３を介して他の装置へ送出することも可能である。
【００５１】
サーマルヘッド制御部４０は、シスコン３１での自動画質補正処理等の各種画像処理によって得られたプリント用の画像データを１ラインデータ毎に読み出し、これに基づいてサーマルヘッド４１を駆動（加熱）させることにより、ペーパー４２にインクリボン４３の染料を昇華、吸収させて印刷を行う。
【００５２】
ペーパー搬送制御回路４４は、ペーパー搬送部４５を制御して、Ｙ、Ｍ、Ｃのインクリボン４３による重ね合わせ印刷が行われるように各インクが順次適用されるのに対応して、ペーパーカートリッジ４６からペーパー４２を搬送する。
操作部４７は、ユーザから受け付けた各種指示をシスコン３１へ伝えるための各種キーやボタンやスイッチ等であり、例えば、ユーザから画像選択指示（十字キー等による）、画像処理指示、プリント指示（プリントボタンによる）等を受け付ける。
【００５３】
電源部４８は、外部電源端子４９に入力された電力の電圧を制御してこのプリンタ装置を構成する各部に電力を供給する。
尚、上述した構成のプリンタ装置において、電子カメラ等の外部装置とケーブル等を介して直接画像ファイル等の授受を行うように構成しても良い。また、通信回線と接続可能に構成し、この通信回線を介して画像ファイル等の授受を行うようにしても良い。
【００５４】
次に、本電子カメラシステムに含まれる、上述した構成の電子カメラとプリンタ装置の動作処理について説明する。ここでは、特に、撮影処理後に、その撮影処理において異なる画像処理パラメータが設定されて画像処理が行われた場合の画像を得るために行われる処理を中心に説明する。
【００５５】
図５は、電子カメラが行う撮影処理の一例を示すフローチャートである。尚、同図に示した処理は、シスコン７がＲＯＭ９に格納されている制御プログラムを実行することにより行われる処理である。
同図に示したように、まず操作部２１を介して、ユーザからの撮影指示（レリーズボタンオン）を受け付けるまで（ステップ（以下単にＳと言う）５０７がＮ）、ユーザからの撮影モード指示（Ｓ５０１）、撮影条件指示（Ｓ５０３）、ＲＡＷモード指示（Ｓ５０５）を受け付ける。ユーザからの撮影モード指示（Ｓ５０１がＹ）、撮影条件指示（Ｓ５０３がＹ）、ＲＡＷモード指示（Ｓ５０５がＹ）を受け付けたときは、その指示通りの撮影モード（Ｓ５０２）、撮影条件（Ｓ５０４）、ＲＡＷモード（Ｓ５０６）を設定する。
【００５６】
そして、ユーザからの撮影指示（レリーズボタンオン）を受け付けたときは（Ｓ５０７がＹ）、前述のユーザからの指示や撮像しようとする被写界に応じて設定された撮影モード及び撮影条件に基づいて撮像処理を行う（Ｓ５０８）。この撮像処理では、ズームレンズ系１により結像された被写体像（被写界）が撮像素子２により光電変換され（撮像され）、その変換出力である画像信号が撮像回路３を介してＡ／Ｄ変換回路４に入力され、そのＡ／Ｄ変換により得られたデジタルデータの画像データ（ＲＡＷデータ）がＲＡＭ１０に格納される等の処理が行われる。
【００５７】
続いて、設定された撮影モード及び撮影条件に基づいてプリント補正情報の作成処理を行う（Ｓ５０９）。この処理は、前述の補正モード選択テーブル（図３(a) 参照）及び補正条件変更テーブル（図３(b) 参照）から、設定された撮影モード及び撮影条件に基づいてプリント補正情報を判断・作成する処理である。但し、ＲＡＷモードが設定されていたときには第１候補（モード１）と第２候補（モード２）の２つのプリント補正情報を作成し、ＲＡＷモードが設定されていなかったときには第１候補（モード１）のみのプリント補正情報を作成する。このプリント補正情報については、図６(a),(b) を用いて後述する。
【００５８】
続いて、ＲＡＭ１０に格納された画像データ（ＲＡＷデータ）に基づく画像（撮影された被写界画像）を解析し、該解析結果に基づき、撮影時の画像処理項目毎の画像処理パラメータを設定する（Ｓ５１０）。但し、前述のユーザからの撮影モード指示により、既に所定の設定が行われていたときには、その設定に対応する画像処理パラメータが設定される。例えば、ユーザにより撮影モードの１つである彩度が標準に設定されていたときには、その標準に対応する色変換マトリックス２が彩度の画像処理パラメータとして設定される。このように、撮影時の画像処理項目毎の画像処理パラメータは、撮影された被写界やユーザからの指示に応じて設定される。
【００５９】
続いて、ＲＡＷモードが設定されているか否かを判断し（Ｓ５１１）、ＲＡＷモードが設定されていたときには（Ｓ５１１がＹ）、Ｓ５１３〜Ｓ５１６の画像処理及びＳ５１７の圧縮処理は行わずに、画像データ（ＲＡＷデータ）に付帯情報を付して１つの画像ファイルとしてメモリカードに記録する（Ｓ５１２）。但し、このときの付帯情報には、１つの画像処理項目の画像処理を実行させるのに必要な複数のパラメータからなるパラメータ群が画像処理項目毎に複数組含まれると共に、４つのプリント補正情報等が含まれる。尚、このとき記録される画像ファイルのファイル構造については図７(a) を用いて後述する。
【００６０】
一方、ＲＡＷモードが設定されていなかったときは（Ｓ５１１がＮ）、前述のＳ５１０の処理で設定された撮影時の画像処理項目毎の画像処理パラメータを使用してＳ５１３〜Ｓ５１６の画像処理を行う。すなわち、画像データ（ＲＡＷデータ）に、設定されたゲインを使用してＡＷＢ（オートホワイトバランス）処理を行い（Ｓ５１３）、次に設定された色変換マトリックスを使用して色変換（彩度）処理を行い（Ｓ５１４）、次に設定された階調テーブルを使用して階調変換（コントラスト）処理を行い（Ｓ５１５）、次に設定された強度を使用してエッジ強調（シャープネス）処理を行う（Ｓ５１６）。
【００６１】
続いて、これらの画像処理が行われた画像データにＡＳＩＣ部８によるＪＰＥＧ圧縮処理を行い（Ｓ５１７）、この圧縮された画像データに付帯情報を付して１つの画像ファイルとしてメモリカードに記録する（Ｓ５１２）。尚、このとき記録される画像ファイルのファイル構造については図７(b) を用いて後述する。
【００６２】
このような撮影処理により、ＲＡＷモードが設定されて撮影されたときには、画像処理が行われる前の画像データ（ＲＡＷデータ）に、少なくとも１つの画像処理項目の画像処理を実行させるのに必要な複数のパラメータからなるパラメータ群が画像処理項目毎に複数組含まれた付帯情報が付されて、１つの画像ファイルとしてメモリカードに記録される。
【００６３】
次に、前述のＳ５０９の処理で作成されるプリント補正情報について説明する。図６(a) は、各補正モード及び各補正を行わない項目（補正条件変更）に対応するデータ（プリント補正情報）を示した表であり、同図(b) は、作成されたプリント補正情報の一例である。
【００６４】
プリント補正情報は、設定された撮影モード及び撮影条件に基づいて指定された補正モード（図３(a) の補正モード選択テーブル参照）を示す上位４ｂｉｔのデータと、設定された撮影モードに基づいて指定された補正を行わない項目（図３(b) の補正条件変更テーブル参照）を示す下位５ｂｉｔのデータから構成される。
【００６５】
すなわち、プリント補正情報の上位４ｂｉｔは、指定された補正モードに対応する図６(a) に示したデータにより構成され、その下位５ｂｉｔは、指定された補正を行わない項目に対応する同図(a) に示したデータの論理和により構成される。
【００６６】
例えば、補正モードとして風景が指定され、補正を行わない項目として明るさとホワイトバランスが指定されたときに作成されるプリント補正情報は、同図(a) に示した表より、指定された補正モードが風景であることに対応して上位４ｂｉｔが００１０で構成され、指定された補正を行わない項目が明るさとホワイトバランスであることに対応して下位５ｂｉｔが１００００（明るさ）と００１００（ホワイトバランス）の論理和である１０１００で構成され、同図(b) に示した００１０１０１００の９ｂｉｔのプリント補正情報が作成されることになる。
【００６７】
但し、図５のＳ５０９の処理で説明した第１候補のプリント補正情報（モード１）は、その上位４ｂｉｔに示される補正モードが、設定された撮影モード及び撮影条件の中で最上位の優先順位のものに基づいて指定された補正モードであるときのプリント補正情報である。また、第２候補のプリント補正情報（モード２）は、設定された撮影モード及び撮影条件の中で２番目の優先順位のものに基づいて指定された補正モードであるときのプリント補正情報である。
【００６８】
次に、図５のＳ５１２の処理でメモリカードに記録された画像ファイルのファイル構造について説明する。
図７(a) は、ＲＡＷモードが設定されていたときに記録された画像ファイルのファイル構造（ＲＡＷファイル形式）の一例であり、同図(b) は、ＲＡＷモードが設定されていなかったときに記録された画像ファイルのファイル構造（ＲＡＷファイル形式以外）の一例である。
【００６９】
同図(a) に示したように、ＲＡＷモードが設定されていたときに記録された画像ファイルのファイル構造は、ファイル識別子、画像サイズ、１３種類の画像処理パラメータ、撮影時設定の画像処理パラメータ、プリント補正識別子、及び４種類のプリント補正情報を含む付帯情報と、画像データから構成される。
【００７０】
ファイル識別子は、当該画像ファイルが、ＲＡＷモードが設定されていたときに記録された画像ファイルである（ＲＡＷファイル形式である）ことを示すものであり、２ｂｙｔｅの固定値により表される。
画像サイズは、画像の幅、高さを示すものであり、それぞれ２ｂｙｔｅで表される。
【００７１】
１３種類の画像処理パラメータは、撮影処理で行われる画像処理項目毎の画像処理パラメータを全て示すものであり、１つの画像処理項目の画像処理を実行させるのに必要な複数の画像処理パラメータからなるパラメータ群が画像処理項目毎に４組含まれたものである。また、各画像処理パラメータは、階調テーブル１、２、３がそれぞれ１０２４ｂｙｔｅ、色変換マトリックス１、２、３がそれぞれ１８ｂｙｔｅ、ゲイン１、２、３、４がそれぞれ４ｂｙｔｅ、強度１、２、３がそれぞれ２ｂｙｔｅで表される。
【００７２】
撮影時設定の画像処理パラメータは、図５のＳ５１０の処理で設定された画像処理項目毎の画像処理パラメータのデータ名を示すものであり、１ｂｙｔｅで表される。実際には、その１ｂｙｔｅ（８ｂｉｔ）の上位から２ｂｉｔ毎に、各画像処理項目の画像処理パラメータのデータ名が示される。例えば、最上位から２ｂｉｔのデータがコントラストの画像処理パラメータのデータ名、次の２ｂｉｔのデータが彩度の画像処理パラメータのデータ名、次の２ｂｉｔのデータがホワイトバランスの画像処理パラメータのデータ名、最後の２ｂｉｔのデータがシャープネスの画像処理パラメータのデータ名が示される。
【００７３】
プリント補正識別子は、当該画像ファイルがプリント補正情報を４つ含む画像ファイルであることを示すものであり、２ｂｙｔｅの固定値で表される。
４種類のプリント補正情報は、第１候補のプリント補正情報（モード１）、第２候補のプリント補正情報（モード２）、補正モードが標準のプリント補正情報（標準：０）、及び補正モードが補正無しのプリント補正情報（補正無し：３２０）を示すものであり、それぞれ２ｂｙｔｅで表される。尚、これらのプリント補正情報は、プリントのための画像処理を実行させるのに必要な複数のパラメータである。
【００７４】
画像データは、ＲＡＷデータ（ＲＧＢ  ＲＡＷデータ）を示すものであり、幅×高さ×３ｂｙｔｅで表される。
尚、付帯情報にはその他、撮影時に設定された撮影条件や撮影日付等が含まれるようにしても良い。
【００７５】
また、図７(b) に示したように、ＲＡＷモード設定されていなかったときに記録された画像ファイルのファイル構造は、ファイル識別子、画像サイズ、４種類の画像処理パラメータ、プリント補正識別子、及びプリント補正情報を含む付帯情報と、画像データから構成される。
【００７６】
ファイル識別子は、当該画像ファイルが、ＲＡＷモードが設定されていなかったときに記録された画像ファイルである（ＲＡＷファイル形式以外である）ことを示すものであり、２ｂｙｔｅの固定値により表される。
画像サイズは、画像の幅、高さを示すものであり、それぞれ２ｂｙｔｅで表される。
【００７７】
４種類の画像処理パラメータは、図５のＳ５１０の処理で設定された撮影時設定の画像処理パラメータを示したものであり、図７(b) では、撮影時設定の画像処理パラメータとして、階調テーブル２、色変換マトリックス１、ゲイン１、強度３が設定されたときの例を示している。
【００７８】
プリント補正識別子は、当該画像ファイルがプリント補正情報を１つ含む画像ファイルであることを示すものであり、２ｂｙｔｅの固定値で表される。
プリント補正情報は、第１候補のプリント補正情報（モード１）を示すものであり、２ｂｙｔｅで表される。
【００７９】
画像データは、図５のＳ５１７でＪＰＥＧ圧縮処理が施された画像データを示すものであり、画像データに依存したデータサイズで表される。
尚、付帯情報にはその他、設定された撮影条件や撮影日付等が含まれるようにしても良い。
【００８０】
次に、プリンタ装置が行う画像ファイルに基づく画像処理及び印刷処理について説明する。尚、これらの処理は、シスコン３１がＲＯＭ３７に格納されている制御プログラムを実行することにより行われる処理である。
図８は、プリンタ装置が行う画像処理の一例を示すフローチャートである。但し、同図に示したフローは、ＲＡＷファイル形式の画像ファイルが記録されたメモリカードがカードスロット３４に装着された状態で、ユーザからの指示により、このＲＡＷファイル形式の画像ファイルに基づく画像への画像処理指示が行われたときに実行される処理である。従って、ＲＡＷファイル形式以外の画像ファイルに基づく画像への画像処理指示が行われたときには、本フローは実行されない。尚、この画像処理指示は、例えば、電子カメラによる撮影処理後に、その撮影処理において異なる画像処理パラメータが設定されて画像処理が行われたときにはどのような画像が得られたであろうかとユーザが要望したとき等に行われるものである。
【００８１】
同図に示したように、まず、ユーザから画像処理指示が行われたＲＡＷファイル形式の画像ファイルをメモリカードから読み出し、ファイルオープンする（Ｓ８０１）。
続いて、その画像ファイルから付帯情報（ヘッダー情報）と画像データ（ＲＡＷデータ）を読み出し、この画像データをリサイズ処理し、１６０×１２０画素の縮小画像を作成する（Ｓ８０２、Ｓ８０３）。
【００８２】
続いて、Ｓ８１４〜Ｓ８１７の画像処理で使用する画像処理パラメータ（画像処理項目毎の画像処理パラメータ）を、好みに応じてユーザに選択させる処理を行う（Ｓ８０４〜８１１）。尚、Ｓ８１４〜Ｓ８１７の画像処理は、撮影処理で行われる画像処理（図５のＳ５１３〜Ｓ５１６）と同様の処理であるので、Ｓ８１４〜Ｓ８１７の各画像処理で使用する画像処理パラメータを好みに応じてユーザに選択させることにより、前述のユーザの要望に答えることができるようになる。
【００８３】
具体的には、まず、ホワイトバランス（ＷＢ）処理の画像処理パラメータをユーザに選択させるために、前述の縮小画像に、付帯情報に含まれているホワイトバランス処理の４つの画像処理パラメータ（ゲイン１、２、３、４）のそれぞれを使用してホワイトバランス処理を行った４つの縮小処理画像を作成する（Ｓ８０４）。
【００８４】
続いて、この４つの縮小処理画像のそれぞれに、付帯情報に含まれている撮影時設定の画像処理パラメータに基づいて、色変換（彩度）処理（Ｓ８０６）、階調変換（コントラスト）処理（Ｓ８０７）、エッジ強調（シャープネス）処理（Ｓ８０８）を行い、これらの処理が行われた４つの縮小処理画像を画像表示ＬＣＤ５２に一括表示する（Ｓ８０８）。
【００８５】
続いて、操作部４７を介して、ユーザからの画像選択指示を受け付け（Ｓ８０９）、一括表示された４つの縮小処理画像の中から所定の縮小処理画像が選択されると（Ｓ８０９がＹ）、その選択された縮小処理画像に対応するホワイトバランス処理の画像処理パラメータを、Ｓ８１４のホワイトバランス処理で使用する画像処理パラメータとして選択（設定）する。
【００８６】
すなわち、一括表示された４つの縮小処理画像は、ホワイトバランス処理の画像処理パラメータが異なるだけで、その他の色変換処理、階調処理、エッジ強調処理の画像処理パラメータは同一の画像処理パラメータ（撮影時設定の画像処理パラメータ）が使用されて画像処理が行われたものである。従って、この４つの縮小処理画像の中から、ユーザが好みの縮小処理画像を選択することにより、その選択した縮小処理画像に対応するホワイトバランス処理の画像処理パラメータが選択されることになる。
【００８７】
この時点では、画像処理パラメータの選択されていない画像処理項目（彩度、コントラスト、シャープネス）がまだ残っているので（Ｓ８１０がＮ）、次に、ユーザに選択させる画像処理パラメータの画像処理項目を彩度に変更し（Ｓ８１１）、Ｓ８０４の処理に戻る。
【００８８】
但し、このときホワイトバランス処理の画像処理パラメータは既に選択済みなので、Ｓ８０４の処理では、Ｓ８０３の処理で得られた縮小画像に、この選択済みの画像処理パラメータを使用してホワイトバランス処理を行い、１つの縮小処理画像を作成する。
【００８９】
続いて、この縮小処理画像に、付帯情報に含まれている色変換（彩度）処理の３つの画像処理パラメータ（色変換マトリックス１、２、３）のそれぞれを使用して色変換処理を行った３つの縮小処理画像を作成する（Ｓ８０５）。
続いて、この３つの縮小処理画像のそれぞれに、付帯情報に含まれている撮影時設定の画像処理パラメータに基づいて、階調変換処理（Ｓ８０６）、エッジ強調処理（Ｓ８０７）を行い、これらの処理が行われた３つの縮小処理画像を画像表示ＬＣＤ５２に一括表示する（Ｓ８０８）。
【００９０】
続いて、操作部４７を介して、ユーザからの画像選択指示を受け付け（Ｓ８０９）、一括表示された３つの縮小処理画像の中から所定の縮小処理画像が選択されると（Ｓ８０９がＹ）、その選択された縮小処理画像に対応する色変換処理の画像処理パラメータを、Ｓ８１５の色変換処理で使用する画像処理パラメータとして選択（設定）する。
【００９１】
この時点でも、画像処理パラメータの選択されていない画像処理項目（コントラスト、シャープネス）がまだ残っているので（Ｓ８１０がＮ）、次に、ユーザに選択させる画像処理パラメータの画像処理項目をコントラストに変更し（Ｓ８１１）、再びＳ８０４の処理に戻る。
【００９２】
但し、このときホワイトバランス処理と色変換処理の各画像処理パラメータは既に選択済みなので、Ｓ８０４及びＳ８０５の処理では、Ｓ８０３の処理で得られた縮小画像に、この選択済みの画像処理パラメータを使用してホワイトバランス処理及び色変換処理を行い、１つの縮小処理画像を作成する。
【００９３】
続いて、この縮小処理画像に、付帯情報に含まれている階調変換（コントラスト）処理の３つの画像処理パラメータ（階調テーブル１、２、３）のそれぞれを使用して階調変換処理を行った３つの縮小処理画像を作成する（Ｓ８０６）。
続いて、この３つの縮小処理画像のそれぞれに、付帯情報に含まれている撮影時設定の画像処理パラメータに基づいて、エッジ強調処理（Ｓ８０７）を行い、この処理が行われた３つの縮小処理画像を画像表示ＬＣＤ５２に一括表示する（Ｓ８０８）。
【００９４】
続いて、操作部４７を介して、ユーザからの画像選択指示を受け付け（Ｓ８０９）、一括表示された３つの縮小処理画像の中から所定の縮小処理画像が選択されると（Ｓ８０９がＹ）、その選択された縮小処理画像に対応する階調変換処理の画像処理パラメータを、Ｓ８１６の階調変換処理で使用する画像処理パラメータとして選択（設定）する。
【００９５】
この時点でも、画像処理パラメータの選択されていない画像処理項目（シャープネス）がまだ残っているので（Ｓ８１０がＮ）、次に、ユーザに選択させる画像処理パラメータの画像処理項目をシャープネスに変更し（Ｓ８１１）、再びＳ８０４の処理に戻る。
【００９６】
但し、このときホワイトバランス処理、色変換処理、階調変換処理の各画像処理パラメータは既に選択済みなので、Ｓ８０４〜Ｓ８０６の処理では、Ｓ８０３の処理で得られた縮小画像に、この選択済みの画像処理パラメータを使用してホワイトバランス処理、色変換処理、階調変換処理を行い、１つの縮小処理画像を作成する。
【００９７】
続いて、この縮小処理画像に、付帯情報に含まれているエッジ強調（シャープネス）処理の３つの画像処理パラメータ（強度１、２、３）のそれぞれを使用してエッジ強調処理を行った３つの縮小処理画像を作成し（Ｓ８０７）、これらを画像表示ＬＣＤ５２に一括表示する（Ｓ８０８）。
【００９８】
続いて、操作部４７を介して、ユーザからの画像選択指示を受け付け（Ｓ８０９）、一括表示された３つの縮小処理画像の中から所定の縮小処理画像が選択されると（Ｓ８０９がＹ）、その選択された縮小処理画像に対応するエッジ強調処理の画像処理パラメータを、Ｓ８１７のエッジ強調処理で使用する画像処理パラメータとして選択（設定）する。
【００９９】
このようにして、画像処理項目毎の画像処理パラメータが全て選択されると（Ｓ８１０がＹ）、次に、画像ファイルの画像データ（ＲＡＷデータ）を再び読み出し（Ｓ８１２）、ファイルクローズする（Ｓ８１３）。
続いて、読み出した画像データ（フルサイズ）に、ユーザにより選択された画像処理項目毎の画像処理パラメータを使用して、ホワイトバランス（ＡＷ）処理（Ｓ８１４）、色変換（彩度）処理（Ｓ８１５）、階調変換（コントラスト）処理（Ｓ８１６）、エッジ強調（シャープネス）処理（Ｓ８１７）を行い、これらの処理が行われた画像データに基づく画像を画像表示ＬＣＤ５２に表示する（Ｓ８１８）。尚、ユーザからの指示に応じて、このときの画像データをメモリカードに記録するようにしても良い。
【０１００】
このような処理により、撮影処理後に、その撮影処理において異なる画像処理パラメータが設定されて画像処理が行われた場合の画像を得ることができる。従って、前述のユーザの要望に答えることができる。
続いて、操作部４７を介して、ユーザからのプリント指示を受け付け（Ｓ８１９）、プリント指示があったときには（Ｓ８１９がＹ）、図１０で後述するプリント処理へ移行する。
【０１０１】
尚、本フローにおいて、縮小処理画像の表示（Ｓ８０８）及び画像の表示（Ｓ８１８）は、ＰＣ接続端子３９を介してＰＣのディスプレイ等に表示させるようにしても良く、また、ビデオアウト端子５３を介して他の他の表示装置に表示させるようにしても良い。また、ユーザに選択させる画像処理パラメータの順番も、ホワイトバランス、彩度、コントラスト、シャープネスの順番に限られるものではない。
【０１０２】
図９は、Ｓ８０８の処理で画像表示ＬＣＤ５２に一括表示される縮小処理画像の表示例を示した図である。尚、同図は、一例として、コントラスト（階調変換処理）の画像処理パラメータをユーザに選択させるときに表示される表示画面を示している。
【０１０３】
同図に示すように、左上が階調テーブル１に基づく縮小処理画像、右上が階調テーブル２に基づく縮小処理画像、左下が階調テーブル３に基づく縮小処理画像である。このように、一括表示される縮小処理画像は、画像処理パラメータの違いによる差異をユーザに確認しやすくするため、規則的に順番に配置される。
【０１０４】
また、ユーザが画像選択する際の参考として、撮影時設定の画像処理パラメータと同一の画像処理パラメータに基づく縮小処理画像には、その下部に星印が表示される。同図では、左下の画像がそうである。すなわち、撮影時には、コントラストの画像処理パラメータとして階調テーブル３が設定されていたことがわかる。また、同図中の選択枠は、ユーザが画像選択する際にその選択対象を指示するものであり、十字キーにより移動されるものである。
【０１０５】
尚、その他の画像処理項目についての表示例は不図示であるが、上述の表示例と同様に、一括表示される縮小処理画像は規則的に順番に配置され、また、撮影時設定の画像処理パラメータと同一の画像処理パラメータに基づく縮小処理画像には、その下部に星印が表示される。
【０１０６】
次に、プリンタ装置が行うプリント処理について説明する。尚、このプリント処理では、プリント対象となる画像ファイルの付帯情報に複数のプリント補正情報が含まれていたときには、各プリント補正情報に基づいて処理された複数の画像の中から好みの画像がユーザに選択され、その選択画像が印刷される。
【０１０７】
図１０は、このプリント処理の一例を示すフローチャートである。
同図に示したように、所定の画像ファイルの画像にプリント指示があったときは、その画像ファイルの付帯情報からプリント補正識別子を読み出し、プリント補正情報がいくつ含まれているかを判断すると共に、そのプリント補正情報を読み出す（Ｓ１００１）。但し、ここでは、印刷対象となる画像ファイルの画像を図８のＳ８１８の処理で表示された画像として説明する。従って、Ｓ１００１の処理では、プリント補正情報の数が４つと判断され、その４つのプリント補正情報である、第１候補のプリント補正情報（モード１）、第２候補のプリント補正情報（モード２）、標準のプリント補正情報（：０）、及び補正無しのプリント補正情報（：３２０）が読み出される。
【０１０８】
続いて、図８のＳ８１８の処理で表示された画像（画像データ）の画像解析を行い（Ｓ１００２）、この解析結果と読み出した４つのプリント補正情報に基づいて、各プリント補正情報に基づいて処理された４つの画像の中から好みの画像をユーザに選択させる処理を行う（Ｓ１００３〜ＳＳ１０１２）。
【０１０９】
具体的には、まず、第１候補のプリント補正情報と前述の画像解析結果に基づいて、画質補正量を算出する（Ｓ１００３）。詳しくは、第１候補のプリント補正情報に示される補正モードと画像解析結果に基づいて、後続のコントラスト補正処理での画質補正量、明るさ補正処理での画質補正量、ホワイトバランス補正処理での画質補正量、彩度補正処理での画質補正量、シャープネス補正処理での画質補正量を算出する。
【０１１０】
続いて、算出した各画質補正量に基づいて、コントラスト補正処理（Ｓ１００４）、明るさ補正処理（Ｓ１００５）、ホワイトバランス補正処理（Ｓ１００６）、彩度補正処理（Ｓ１００７）、シャープネス補正処理（Ｓ１００８）を行う。但し、第１候補のプリント補正情報に補正を行わない項目（補正変更条件）が示されていたときには、その項目の補正処理をスキップする。
【０１１１】
このようにして、第１候補のプリント補正情報に基づいて処理された画像が作成されると、これを画像表示ＬＣＤ５２に表示する（Ｓ１００９）。
そして、このような処理を、第２候補のプリント補正情報（モード２）、標準のプリント補正情報、補正無しのプリント補正情報についても同様にして行い、各プリント補正情報に基づいて処理された４つの画像を画像表示ＬＣＤ５２に表示すると（Ｓ１０１０がＹ）、次に、操作部４７を介して、ユーザからの画像選択指示を受け付け（Ｓ１０１２）、画像表示ＬＣＤ５２に表示された４つの画像の中から所定の画像が選択されると（Ｓ１０１２がＹ）、その選択された画像を実際に用紙へ印刷する処理を行い（Ｓ１０１３）、当該フローを終了する。
【０１１２】
このような処理により、よりユーザの好みに応じた画像の印刷が可能になる。尚、本実施形態において、図８に示した画像処理のＳ８１８までの処理を電子カメラが行うようにしても良い。
【０１１３】
【発明の効果】
以上、詳細に説明したように、本発明によれば、撮影処理後に、その撮影処理において異なる画像処理パラメータが設定されて画像処理が行われた場合の画像を得ることができる。
【図面の簡単な説明】
【図１】本発明の一実施の形態に係る電子カメラシステムに含まれる電子カメラのブロック図である。
【図２】ＲＯＭに格納されている画像処理項目毎の画像処理パラメータを示した表である。
【図３】  (a) は補正モード選択テーブル、(b) は補正条件変更テーブルである。
【図４】本発明の一実施の形態に係る電子カメラシステムに含まれる印刷（プリント）機能付き画像処理装置（プリンタ装置）のブロック図である。
【図５】電子カメラが行う撮影処理の一例を示すフローチャートである。
【図６】  (a) は各補正モード及び各補正を行わない項目（補正条件変更）に対応するデータ（プリント補正情報）を示した表、(b) は作成されたプリント補正情報の一例である。
【図７】  (a) はＲＡＷモードが設定されていたときに記録された画像ファイルのファイル構造（ＲＡＷファイル形式）の一例、(b) はＲＡＷモードが設定されていなかったときに記録された画像ファイルのファイル構造（ＲＡＷファイル形式以外）の一例である。
【図８】プリンタ装置が行う画像処理の一例を示すフローチャートである。
【図９】画像表示ＬＣＤ５２に一括表示される縮小処理画像の表示例である。
【図１０】プリンタ装置が行うプリント処理の一例を示すフローチャートである。
【符号の説明】
１      ズームレンズ系
２      撮像素子
３      撮像回路
４      Ａ／Ｄ
５      レンズ駆動制御回路
６      レンズ駆動部
７      シスコン
８      ＡＳＩＣ
９      ＲＯＭ
１０    ＲＡＭ
１１    メモリＩ／Ｆ
１２    カードスロット
１３    メモリカード
１４    外部Ｉ／Ｆ
１５    外部入出力端子
１６    ビデオメモリ
１７    ビデオ出力回路
１８    画像表示ＬＣＤ
１９    ビデオアウト端子
２０    ストロボ発光部
２１    操作部
２２    電源部
２３    カメラ電池
２４    外部電源入力端子
３１    シスコン
３２    ＡＳＩＣ
３３    メモリＩ／Ｆ
３４    カードスロット
３５    メモリカード
３６    ＲＡＭ
３７    ＲＯＭ
３８    外部Ｉ／Ｆ
３９    ＰＣ接続端子
４０    サーマルヘッド制御部
４１    サーマルヘッド
４２    ペーパー
４３    インクリボン
４４    ペーパー搬送制御部
４５    ペーパー搬送部
４６    ペーパーカートリッジ
４７    操作部
４８    電源部
４９    外部電源入力端子
５０    ビデオメモリ
５１    ビデオ出力回路
５２    画像表示ＬＣＤ
５３    ビデオアウト端子
【図１】
0004383004.tif 000002
【図２】
0004383004.tif 000003
【図３】
0004383004.tif 000004
【図４】
0004383004.tif 000005
【図５】
0004383004.tif 000006
【図６】
0004383004.tif 000007
【図７】
0004383004.tif 000008
【図８】
0004383004.tif 000009
【図９】
0004383004.tif 000010
【図１０】
0004383004.tif 000011